(57)【要約】【課題】特にゴンドラ作業を対象にした、回収の手間を回避することができる使い捨て可能な安全装置を提供することである。【解決手段】細長い矩形の底板、一対の長辺方向側板、及び一対の短辺方向側板を有し、上面が開口した箱状の本体と、建築物の側の長辺方向側板の上縁に連結され、長辺方向側板の全長にわたって延びた矩形の外壁接触板と、外壁接触板を下方に引っ張るためのゴムバンドとを備え、本体及び外壁接触板が板紙又は段ボールで形成されており、外壁接触板が建築物の側に突出するようにして本体をゴンドラ内に置くことにより、外壁補修工事の際にゴンドラが水平方向に揺れても外壁接触板の先端が建築物の外壁に常に接触するように構成されている。【選択図】  図１
2018003384.tif 000002
【特許請求の範囲】
【請求項１】
ゴンドラを使用する外壁補修工事のための安全装置であって、
細長い矩形の底板、一対の長辺方向側板、及び一対の短辺方向側板を有し、上面が開口した箱状の本体と、
前記長辺方向側板のうち建築物の側に位置する長辺方向側板の上縁に連結され、前記長辺方向側板の全長にわたって延びた矩形の外壁接触板と、
前記外壁接触板を下方に引っ張るための複数本のゴムバンドとを備え、
前記本体及び前記外壁接触板が板紙又は段ボールで形成されており、
前記外壁接触板が建築物の側に突出するようにして前記本体をゴンドラ内に置くことにより、外壁補修工事の際にゴンドラが水平方向に揺れても前記外壁接触板の先端が建築物の外壁に常に接触するように構成されていることを特徴とする装置。
【請求項２】
前記ゴムバンドが取り外し可能に構成されていることを特徴とする請求項１に記載された装置。
【請求項３】
前記本体と前記外壁接触板との連結を補強するための補強片が設けられていることを特徴とする請求項１又は２に記載された装置。
【発明の詳細な説明】
【技術分野】
【０００１】
本発明は一般に、建築物の外壁を補修する外壁補修工事に用いる安全装置に関する。より詳細には、本発明は、ゴンドラを使用する外壁補修工事における作業の手間を軽減し、安全な作業を可能とし、作業時間と作業コストを減少させる使い捨て可能な安全装置に関する。
【背景技術】
【０００２】
古い建築物における外壁補修工事は、一般的に、外壁の周囲に組んだ足場の上に作業者が載って、タイル等の古い外壁材を剥がした後、新しい外壁材を外壁に貼る等して施工することによって行われる。この際、外壁から剥がした古い外壁材は、足場の上に一旦落としておき、その後、清掃することによって処理していたが、このような作業方法では、外壁材を剥がす際に撤去材が誤って地上に落下しないように足場の周囲に安全ネットを張りめぐらさなければならず、作業に手間と時間がかかるとともに、作業コストを増大させる一因ともなる等の種々の不都合がある。
【０００３】
このような現状に鑑みて、本発明者は、古い建築物の外壁補修工事における手間を軽減し、作業時間と作業コストを減少させる安全な外壁補修工事用安全装置及び外壁補修方法を提案している（特許文献１〜４参照）。また、回収の手間を回避することができる使い捨て可能な外壁補修工事用安全装置も提案している（特許文献５参照）。
【０００４】
【特許文献１】特許第３４４６９５８号公報
【特許文献２】特許第４３６０４９４号公報
【特許文献３】特許第４６４０９４９号公報
【特許文献４】特許第５３８２９０１号公報
【特許文献５】特開２０１５−２２４４６２号公報
【発明の概要】
【発明が解決しようとする課題】
【０００５】
上述の外壁補修工事用安全装置および外壁補修方法は、幸いにして好評を博している。一方、建物の高層化に伴い、外壁補修工事においてゴンドラが使用されるケースが増えている。ゴンドラ作業は、地上から足場を組み立てる必要がないという利点があるが、作業中にゴンドラが揺れるという不都合も有している。
【０００６】
本発明は、このような状況下で開発されたものであって、特にゴンドラ作業を対象にした、回収の手間を回避することができる使い捨て可能な外壁補修工事用安全装置を提供することを目的としている。
【課題を解決するための手段】
【０００７】
本願請求項１に記載の、ゴンドラを使用する外壁補修工事のための安全装置は、細長い矩形の底板、一対の長辺方向側板、及び一対の短辺方向側板を有し、上面が開口した箱状の本体と、前記長辺方向側板のうち建築物の側に位置する長辺方向側板の上縁に連結され、前記長辺方向側板の全長にわたって延びた矩形の外壁接触板と、前記外壁接触板を下方に引っ張るための複数本のゴムバンドとを備え、前記本体及び前記外壁接触板が板紙又は段ボールで形成されており、前記外壁接触板が建築物の側に突出するようにして前記本体をゴンドラ内に置くことにより、外壁補修工事の際にゴンドラが水平方向に揺れても前記外壁接触板の先端が建築物の外壁に常に接触するように構成されていることを特徴とするものである。
【０００８】
本願請求項２に記載の安全装置は、前記請求項１の装置において、前記ゴムバンドが取り外し可能に構成されていることを特徴とするものである。
【０００９】
本願請求項３に記載の安全装置は、前記請求項１又は２の装置において、前記本体と前記外壁接触板との連結を補強するための補強片が設けられていることを特徴とするものである。
【発明の効果】
【００１０】
本発明の安全装置によれば、外壁補修工事の際にゴンドラが水平方向に揺れても前記外壁接触板の先端が建築物の外壁に常に接触しているので、剥がした外壁材が建築物と外壁との間の隙間から落下するのを確実に防止することができ、効率的な補修工事を行うことができる。本発明の安全装置は、板紙又は段ボールで形成されているので、回収作業を行うことなく、廃棄することができる。また、ゴムバンドを取り外し可能にすることにより、保管や運搬の取り扱いが一層容易になる。また、補強片を設けることにより、板紙又は段ボール製であっても、強固な構造とすることができる。本発明の安全装置は、設置が極めて容易であり、足場の周囲に安全ネットを張りめぐらす従来の方法と比較すると、手間と時間が大幅に削減されるとともに、作業コストを減少させることができる。さらに、本発明の安全装置は、持ち運びが容易であり、使い捨て可能であるので、大きな保管スペースも必要としない。
【図面の簡単な説明】
【００１１】
【図１】本発明の好ましい実施の形態に係る安全装置を上方から見下ろした斜視図である。
【図２】図１の安全装置を下方から見上げた斜視図である。
【図３】図１の安全装置の分解斜視図である。
【図４】図４ （ａ）および図４（ｂ）は図１の部分４ａの拡大図、図４（ｃ）および図４（ｄ）は図２の部分４ｃの拡大図，図４（ｅ）は図２の部分４ｅの拡大図である。
【図５】図１の安全装置の展開図である。
【図６】図１の安全装置の使用状態の例を示した側面図である。
【図７】図１の安全装置の使用状態の例を示した別の側面図である。
【発明を実施するための形態】
【００１２】
次に、図面を参照して、本発明の好ましい実施の形態に係る安全装置について詳細に説明する。図１は、安全装置を上方から見下ろした斜視図、図２は、安全装置を下方から見上げた斜視図、図３は、図１の安全装置の分解斜視図（簡単のため、ゴムベルト２０は図示せず）である。図１において全体として参照符号１０で示される本発明の好ましい実施の形態に係る安全装置は、上面が開口した細長い箱状の本体１２を備えている。本体１２は、細長い矩形の底板１２ａと、一対の長辺方向側板１２ｂ、１２ｃと、一対の短辺方向側板１２ｄ、１２ｅとを有しており、底板１２ａのほぼ中央に開口部１２ａ１が設けられている。
【００１３】
好ましくは、本体１２の底板１２ａの開口部１２ａ１に蓋（図示せず）を設け、開閉可能にしてもよい。また、好ましくは、長辺方向側板１２ｃは、補強プレート１２ｃ１で補強されている。補強プレート１２ｃ１は例えば、適当な大きさの板紙又は段ボールを長辺方向側板１２ｃの外面に貼付したものである。
【００１４】
安全装置１０はまた、建築物の側に位置する長辺方向側板１２ｂの上縁に連結され、長辺方向側板１２ｂの全長にわたって延びた矩形の外壁接触板１４を備えている。外壁接触板１４は、後述するように、安全装置１０を使用して外壁補修工事を行う際に、建築物の外壁に接触させて外壁材の破片が外部に落下するのを防止する。
【００１５】
好ましくは、外壁接触板１４の建築物の側に位置する辺には、外壁接触板１４の全長にわたって延びた細長い矩形の接触片１４ａが連結されている。接触片１４ａは、外壁接触板１４が建物の外壁により密着するのに役立つ。
【００１６】
また、好ましくは、外壁接触板１４の建築物と直交する辺には、接触板側壁１４ｂ、１４ｃがそれぞれ連結されている。接触板側壁１４ｂ、１４ｃは、外壁補修工事の際に、外壁材の破片が安全装置１０の脇から落下するのを防止するのに役立つ。接触板側壁１４ｂ、１４ｃには、ゴンドラの水平バー（図６（ａ）（ｂ）参照）との干渉を避けるための切り欠き１４ｂ１、１４ｃ１がそれぞれ設けられている。図３に最も良く示されるように、接触板側壁１４ｂ、１４ｃの端部を本体１２の側に延ばし、本体１２の短辺方向側板１２ｄ、１２ｅに隣接して設けた仕切り板１２ｄ１、１２ｅ１と短辺方向側板１２ｄ、１２ｅとの間の隙間に、接触板側壁１４ｂ、１４ｃの延ばした部分を差し込むことによって、安全装置１０を堅固に組み立てることができる。なお、安全装置１０を一層堅固にするため、接触板側壁１４ｂ、１４ｃを二重貼りにしてもよい。
【００１７】
好ましくは、本体１２のゴンドラの側に位置する長辺方向側板１２ｃの上縁には、長辺方向側板１２ｃの全長にわたって延びた細長い矩形の小片１６が連結されている。小片１６は、外壁材の破片がゴンドラ内に落下するのを防止するのに役立つ。
【００１８】
安全装置１０を構成する本体１２、外壁接触板１４、接触片１４ａ、接触板側壁１４ｂ、１４ｃおよび小片１６は、板紙又は段ボールで形成される。
【００１９】
好ましくは、本体１２と外壁接触板１４との連結を補強するための補強片１８が設けられている。補強片１８は、図４（ｅ）に示されるように、板紙又は段ボールで形成された部材の一端を本体１２の適所（図４（ｅ）では底板１２ａ）に固定し、部材の他端を外壁接触板１４の適所（図４（ｅ）では本体１２に隣接する端）に固定することによって構成されている。補強片１８の固定は、接着剤を用いてもよいし、適当なステープラを用いてもよい。
【００２０】
安全装置１０はさらに、外壁接触板１４を下方に引っ張るための複数本（図１では２本）のゴムバンド２０を備えている。各ゴムバンド２０は、図１に示されるように、一端が本体１２の適所に取り付けられ、他端が外壁接触板１４の適所に取り付けられている。
【００２１】
図４（ａ）〜図４（ｄ）は、ゴムバンド２０の取り付け部分を示した図である。より詳細に説明すると、図４（ａ）は、ゴムバンド２０の本体１２への取り付け部分を示した図である。すなわち、本体１２の長辺方向側板１２ｃと補強プレート１２ｃ１との間の隙間に、ゴムバンド２０の一端のフック２０ａを引っ掛けることによって、ゴムバンド２０の一端が本体１２に取り付けられている（図４（ｂ）は、図４（ａ）においてゴムバンド２０を取り除いた状態を示した図である）。また、図４（ｃ）は、ゴムバンド２０の外壁接触板１４への取り付け部分を示した図である。接触片１４ａに設けられた孔１４ａ２にゴムバンド２０の他端のフック２０ｂを引っ掛けることによって、ゴムバンド２０の他端が本体１２に取り付けられている（図４（ｄ）は、図４（ｃ）においてゴムバンド２０を取り除いた状態を示した図である）。なお、ゴムバンド２０の上記の取り付け態様は一例にすぎず、他の取り付け態様を採用してもよい。ゴムバンド２０を以上のように取り付けることにより、不要時（例えば、安全装置１０の保管時など）にはゴムバンド２０を取り外すことができる。
【００２２】
本体１２、外壁接触板１４、接触片１４ａ、接触板側壁１４ｂ、１４ｃおよび小片１６によって構成される安全装置１０は、たとえば図５に示されるようなものを準備し、使用時に所定箇所を折り曲げ、のりしろに接着剤を塗布して接着することによって形成してもよい。或いは、別体の外壁接触板１４、接触片１４ａ、接触板側壁１４ｂ、１４ｃおよび小片１６をそれぞれ準備し、各板を組み立ててテープなどを使用して接合し、安全装置１０を形成してもよい。
【００２３】
次に、主として図６および図７を参照して、以上のように構成された安全装置１０の使用について説明する。図６（ａ）は、ゴンドラが建築物の外壁の脇に吊下されている状態を示した図である。安全装置１０は、外壁接触板１４が建築物の側に突出するようにして本体をゴンドラ内に置くことによって設置される。安全装置１０の外壁接触板１４は、ゴムバンド２０によって下方に引っ張られているため、接触片１４ａが外壁に接触している。このような状態で外壁補修工事を行う。剥がした外壁材を下方に落とすと、外壁材は外壁接触板１４に当たって本体１２内に滑り落ちる。すなわち、ゴンドラ上の作業者は、外壁材を剥がして、その位置でそのまま下方に落とすのみでよく、落とした外壁材は、外壁接触板１４を滑り落ちて、作業者の足下に集積されることとなる。その際、外壁接触板１４の接触片１４ａが建築物の外壁に接触しているので、剥がした外壁材が建築物と外壁との間の隙間から外部に落下するのを防止することができる。
【００２４】
風などによりゴンドラが揺れて水平方向に移動しても、外壁接触板１４がゴムバンド２０によって下方に引っ張られており、接触片１４ａが外壁に接触し続ける（図６（ｂ）参照）ため、剥がした外壁材が建築物と外壁との間の隙間から外部に落下することはない。
【００２５】
補修工事が終了すると、剥がした外壁材が入った安全装置１０をゴンドラから地上に下ろし、剥がした外壁材を所定箇所に廃棄した後、安全装置１０を解体して廃棄する。このようにして、安全を確保しつつ迅速に補修工事を行うことができる。
【００２６】
なお、本体１２の底板１２ａの開口部１２ａと地上との間にシュート（図示せず）を設け、剥がした外壁材をシュートを通して地上に落としてもよい。
【００２７】
本発明は、以上の発明の実施の形態に限定されることなく、特許請求の範囲に記載された発明の範囲内で、種々の変更が可能であり、それらも本発明の範囲内に包含されるものであることはいうまでもない。
【００２８】
例えば、図示されている本体１２、外壁接触板１４、小片１６、補強片１８の寸法や細部形状などは例示的なものであり、これらに限定されるものではない。また、外壁接触板１４に接触片１４ａを設けず、外壁接触板１４の先端が外壁に接触するようにしてもよい。
【符号の説明】
【００２９】
１０  安全装置
１２  本体
１２ａ  底板
１２ａ１  開口部
１２ｂ、１２ｃ  長辺方向側板
１２ｄ、１２ｅ  短辺方向側板
１４  外壁接触板
１４ａ  接触片
１４ｂ、１４ｃ  接触板側壁
１６  小片
１８  補強片
２０  ゴムバンド
２０ａ、２０ｂ  フック
【図１】
2018003384.tif 000003
【図２】
2018003384.tif 000004
【図３】
2018003384.tif 000005
【図４】
2018003384.tif 000006
【図５】
2018003384.tif 000007
【図６】
2018003384.tif 000008
【図７】
2018003384.tif 000009